(57)【特許請求の範囲】
【請求項１】
給紙カセットに積層して収容された記録紙を最上層から順次繰出す給紙装置において、
支持軸を中心として前記給紙カセットに積層された記録紙に対して接近、離間する方向に沿って揺動可能に設けられた給紙アームと、
この給紙アームの先端部に設けられ、前記給紙アームが記録紙接近方向へ揺動した時に前記記録紙の最上層に接触する給紙ローラと、
前記記録紙に接近した位置にある前記給紙アームを前記記録紙から離間した待機位置へ移動させて、その位置に保持する離間手段およびこの待機位置の保持を解除して前記給紙アームを自重により記録紙接近方向へ揺動させる解除手段と、
前記給紙ローラに記録紙繰出し方向への回転を付与して前記最上層の記録紙を繰出す回転駆動手段と、
この回転駆動手段により記録紙繰出し方向へ回転される前記給紙ローラの回転力を、前記給紙アームにおける前記記録紙接近方向への回転力に変換して前記給紙ローラに対して前記記録紙の最上層に押付ける力として作用させる制動手段と、を具備し、
前記制動手段は、
前記給紙ローラと一体に記録紙繰出し方向へ回転するとともに、その回転方向とは逆向きの外力が加わった時に前記給紙ローラに対し記録紙繰出し方向への回転を抑制する回転部材と、
前記給紙アームの支持軸を中心として前記給紙カセットに積層された前記記録紙に対して接近、離間する方向に沿って揺動可能に設けられ、前記給紙アームが記録紙接近方向へ揺動して前記給紙ローラが前記記録紙の最上層に接触した時に、前記記録紙接近方向へ揺動して前記回転部材に係止することで前記回転部材の記録紙繰出し方向への回転を阻止する制動アームと、を備えていることを特徴とする給紙装置。
【請求項２】
請求項１の記載において、前記制動アームは、前記離間手段により待機位置へ揺動されて保持され、且つ前記解除手段により待機位置の保持を解除して自重により記録紙接近方向へ揺動されることを特徴とする給紙装置。
【請求項３】
請求項１の記載において、前記回転部材は、ねじりコイルばねであり、このねじりコイルばねは、前記給紙ローラと一体であるローラ軸の外径より小さい内径を有して前記ローラ軸に嵌合保持され、且つ前記ねじりコイルばねは、記録紙接近方向へ揺動してきた前記制動アームが係止する係止部を有することを特徴とする給紙装置。
【発明の詳細な説明】
【０００１】
【発明の属する技術分野】
本発明は、複写機、ファクシミリ装置、あるいはプリンタなどの画像形成装置において、例えば給紙カセットに積層して収容された記録紙を最上層から順次繰出して画像記録部へ供給するために用いられる給紙装置に関する。
【０００２】
【従来の技術】
従来、この種の給紙装置として図５および図６に示すものがある。図５は従来の給紙装置を示す斜視図、図６はこの給紙装置における給紙アーム、給紙ローラおよび重りを示す分解斜視図である。
【０００３】
図において、１は支持軸２を中心として給紙カセットに積層された記録紙の最上層に対して接近、離間する方向に沿って揺動可能に設けられた給紙アーム、３はこの給紙アーム１の先端部に支持軸４により回転自在に支持され給紙アーム１が記録紙接近方向ヘ揺動した時に記録紙の最上層に接触する給紙ローラ、５は記録紙の最上層に接近した位置にある給紙アーム１を離間した待機位置へ移動させてその位置に保持する離間手段、６はこの待機位置の保持を解除して給紙アーム１を自重により記録紙接近方向へ揺動させる解除手段、７は給紙ローラに記録紙繰出し方向への回転を付与する回転駆動手段である。
【０００４】
なお、離間手段５としては例えば給紙アーム１を動作させるレバーに加えて引張りコイルばねが用いられ、解除手段６としては給紙アーム１を動作させるレバーに加えてソレノイドが用いられている。
【０００５】
そして、給紙アーム１が記録紙接近方向に揺動して給紙ローラ３が記録紙最上層に接触すると、給紙ローラ３の回転により最上層の記録紙を繰出して記録部へ向けて給紙する。
【０００６】
この種の給紙装置では、給紙ローラ３が記録紙に接触してその回転により記録紙を繰出すためには、給紙ローラ３に力を加えて記録紙に押付け、給紙ローラ３と記録紙との間に記録紙を搬送させるに必要な摩擦力を発生させて記録紙を搬送することが必要である。
【０００７】
従来の給紙装置では、図５および図６に示すように給紙ローラ３に重り８を取付け、その重量を利用して給紙ローラ３を記録紙に押付けて搬送力を得るようにしている。
【０００８】
【発明が解決しようとする課題】
しかし、このように重りを用いて給紙ローラを記録紙に押付けて記録紙を搬送させる方式では次に述べる問題がある。
【０００９】
給紙ローラ３に重り８を取付けると、給紙ローラ３を支持する給紙アーム１を記録紙から離れた待機位置まで揺動させる離間手段５である引張りコイルばねは、重り８の重量を加えて給紙アームＩを引き上げる力が必要となる。このため、引張りコイルばねは大きなばね力を有する仕様のものが必要となり、その分だけ部品コストが高くなっている。さらに、この離間手段５である引張りコイルばねによる給紙アーム１の待機位置での保持を解除する解除手段６であるソレノイドは、離間手段５であるコイルばねより大きな力で動作させることが必要となる。このため、ソレノイドは引張りコイルばねのばね力を超える大きな吸引力を発生する仕様のものが必要となり、その分部品コストが高くなり、ソレノイドへの供給電力も高くなり経済性が問題となる。
【００１０】
特に記録紙の搬送特性を高めるために給紙ローラに設ける重りの重量を重くすると、これに伴い引張りコイルばねを強いものにする必要があり、またソレノイドもさらに高い出力のものが必要となり、部品コストおよび供給電力が一層増加して給紙装置の商品性を損なうことになっている。
【００１１】
本発明の目的は、記録紙の安定した搬送特性を確保しつつ経済性を高めることができ、しかも簡素で軽量な給紙装置を提供することにある。
【００１２】
【課題を解決するための手段】
前記目的を達成するため、本発明の一つの形態に係る給紙装置は、
給紙カセットに積層して収容された記録紙を最上層から順次繰出す給紙装置であって、
支持軸を中心として前記給紙カセットに積層された記録紙に対して接近、離間する方向に沿って揺動可能に設けられた給紙アームと、
この給紙アームの先端部に設けられ、前記給紙アームが記録紙接近方向へ揺動した時に前記記録紙の最上層に接触する給紙ローラと、
前記記録紙に接近した位置にある前記給紙アームを前記記録紙から離間した待機位置へ移動させて、その位置に保持する離間手段およびこの待機位置の保持を解除して前記給紙アームを自重により記録紙接近方向へ揺動させる解除手段と、
前記給紙ローラに記録紙繰出し方向への回転を付与して前記最上層の記録紙を繰出す回転駆動手段と、
この回転駆動手段により記録紙繰出し方向へ回転される前記給紙ローラの回転力を、前記給紙アームにおける前記記録紙接近方向への回転力に変換して前記給紙ローラに対して前記記録紙の最上層に押付ける力として作用させる制動手段と、を備えている。
前記制動手段は、
(1)前記給紙ローラと一体に記録紙繰出し方向へ回転するとともに、その回転方向とは逆向きの外力が加わった時に前記給紙ローラに対し記録紙繰出し方向への回転を抑制する回転部材と、
(2)前記給紙アームの支持軸を中心として前記給紙カセットに積層された前記記録紙に対して接近、離間する方向に沿って揺動可能に設けられ、前記給紙アームが記録紙接近方向へ揺動して前記給紙ローラが前記記録紙の最上層に接触した時に、前記記録紙接近方向へ揺動して前記回転部材に係止することで前記回転部材の記録紙繰出し方向への回転を阻止する制動アームと、を具備することを特徴としている。
【００１３】
この構成によれば、給紙ローラに重りを取付けることなく記録紙を安定して搬送することができるとともに、離間手段および解除手段に高い仕様のものを用いる必要がなく、経済的である。
しかも、制動手段は、給紙装置の基本的な構成を生かして簡素で軽量でありながら、記録紙を安定して搬送することができる。
【００１６】
本発明の一つの形態によると、給紙装置の制動アームは、離間手段により待機位置へ揺動されて保持され、且つ前記解除手段により待機位置の保持を解除して自重により記録紙接近方向へ揺動されることを特徴としている。
【００１７】
この構成によれば、給紙アームを動作させる離間手段および解除手段を利用して制動手段における制動アームを動作させることにより、制動アームを簡素な構成で給紙アームの動作に連動して動作させて安定した記録紙搬送を行なうことができる。
【００１８】
本発明の一つの形態によると、給紙装置の回転部材は、ねじりコイルばねであり、このねじりコイルばねは、前記給紙ローラと一体であるローラ軸の外径より小さい内径を有して前記ローラ軸に嵌合保持され、且つ前記ねじりコイルばねは、記録紙接近方向へ揺動してきた前記制動アームが係止する係止部を有することを特徴としている。
【００１９】
この構成によれば、制動手段における回転部材を簡素な構成としつつ、給紙ローラに対して制動をかけて安定した記録紙搬送を行なうことができる。
【００２０】
【発明の実施の形態】
本発明の一実施の形態について図１ないし図４を参照して説明する。
図１はこの実施の形態における給紙装置を示す斜視図、図２は給紙装置に設ける給紙アーム、給紙ローラおよび回転部材を示す分解斜視図、図３は給紙装置において非給紙状態の概略的構成を示す断面図、図４は給紙装置において給紙状態の概略的構成を示す断面図である。
【００２１】
この実施の形態は、例えばファクシミリ装置において給紙カセットに積層して収容された記録紙を最上層から順次繰出して画像記録部ヘ供給する給紙装置を対象にしており、この給紙装置はファクシミリ装置の装置本体の内部において図３および図４に示すように給紙カセット１０１における一方の端部の上側に配設され、給紙カセット１０１に積層して収容された多数の記録紙Ｐを最上層のものから順次給紙カセット１０１の外部へ向けてＣ方向へ繰出して画像記録部へ搬送するものである。
【００２２】
図において１１は給紙アームで、この給紙アーム１１は記録紙Ｐの幅方向中央部に対向する位置で記録紙Ｐを繰出すＣ方向に沿って配置されている。給紙アーム１１は、その基端部（記録紙繰出し方向下流側端部）が記録紙繰出し方向に対して直交して設けられた支持軸１２に図示しない軸受を介して揺動可能に支持され、給紙カセット１０１に積層収容された記録紙Ｐの最上層から離間した待機位置Ａとその最上層に接近する接近位置Ｂとの間を上下方向（記録紙Ｐの最上層に対して接近離間する方向）に沿って揺動できるようになっている。なお、給紙アーム１１は後述するように給紙ローラ１４が取付けられることもあって、支持軸１２を中心として記録紙最上層に向けて自重で傾倒して揺動することが可能である。支持軸１２は後述するように回転駆動手段の構成部品として図示しない軸受により装置本体（図示せず）に回転自在に支持されている。
【００２３】
給紙アーム１１の先端部（記録紙繰出し方向上流側端部）に記録紙繰出し方向に対して直交する支持軸１３が取付けられ、この支持軸１３には給紙ローラ１４が図示しない軸受を介して回転自在に嵌合支持されている。この給紙ローラ１４は、図２に示すように軸方向の一方の端部にこれより小径の円筒体をなすローラ軸１５が同一中心軸線上に位置して一体に形成されており、他端部にはプーリ１６が同一中心軸線上に位置して一体に形成されている。
また、給紙ローラ１４の内部には、その軸線方向に沿って貫通する孔１７が形成されている。給紙ローラ１４はローラ軸１５が給紙アーム１１に向いた状態で配置されて、孔１７が支持軸１３に回転自在に嵌合され、軸線方向の移動が阻止されて保持されている。そして、給紙アーム１１が給紙カセット１０１に積層収容した記録紙Ｐの最上層に接近する接近位置Ｂへ揺動した時に、給紙ローラ１４が最上層の記録紙Ｐに接触する。
【００２４】
２１は給紙アーム１１と平行に並んで配置された略Ｖ字形をなす動作レバーで、この動作レバー２１の中央部は前記の支持軸１２に対して記録紙繰出し方向下流側に平行に配置された支持軸２２に図示しない軸受を介して上下方向（給紙カセット１０１に積層収容された記録紙Ｐの最上層に対して接近離間する方向）に沿って揺動できるように支持されている。なお、支持軸２２は後述する補助給紙ローラ１９を支持する回転軸として図示しない軸受により装置本体に回転自在に支持されている。
【００２５】
略Ｖ字形をなす動作レバー２１の一方の片部２１ａは支持軸１２を越えて記録紙繰出し方向上流側へ延びており、この片部２１ａの先端部は給紙アーム１１の側面部に突設したピン１８の下側に位置している。これにより動作レバー２１がその片部２１ａが上方向ヘ向けて変位する向きに揺動すると、片部２１ａの先端部がピン１８を下側から引っ掛けて持ち上げ給紙アーム１１を上向きに揺動させることになる。動作レバー２１の他方の片部２１ｂは上側ヘ延びており、この片部２１ｂには記録紙繰出し方向下流側に位置して図示しないファクシミリ装置本体に設けた引張りコイルばね２３が連結されている。これにより動作レバー２１は一方の片部２１ａが上方向へ変位するように揺動する向きの力が常時加えられている。
【００２６】
また、３１は動作レバー２１とは反対側に位置して給紙アーム１１の側方に設けられたソレノイドで、これは装置本体に支持されている。このソレノイド３１は、記録紙繰出し方向に沿って変位するプランジャ３２を備えている。すなわち、ソレノイド３１は、通電により励磁した時に、プランジャ３２を吸引して記録紙繰出し方向上流側へ向けて後退移動させるものである。
また、ソレノイド３１のプランジャ３２と動作レバー２１の片部２１ｂの先端部とはピン３３を介して連結されている。これによりソレノイド３１がプランジャ３２を吸引すると、動作レバー２１は片部２１ａが下方向へ変位するように揺動される。なお、プランジャ３２は、ソレノイド３１が励磁していない場合に、動作レバー２１を介して引張りコイルばね２３に引かれて記録紙繰出し方向下流側へ移動される。
【００２７】
ここで、動作レバー２１と引張りコイルばね２３とで離間手段を構成し、動作レバー２１とソレノイド３１とで解除手段を構成する。
【００２８】
給紙ローラ１４を回転駆動する手段について説明する。支持軸２２は電動機Ｍにより回転される。支持軸２２に補助給紙ローラ１９が取付けられている。この補助給紙ローラ１９に一体に設けられたプーリ４１と支持軸１２に回転自在に支持されたプーリ４２との間に無端のベルト４３が巻き掛けられている。さらに、支持軸１２に回転自在に支持されたプーリ４４と給紙ローラ１４に一体に形成したプーリ１６との間に無端のベルト４５が巻き掛けられている。これにより、電動機Ｍにより支持軸２２が回転されて補助給紙ローラ１９が回転される。
また、支持軸２２の回転は、プーリ４１、ベルト４３およびプーリ４２へ伝達されて支持軸１２が回転される。さらに、支持軸１２の回転は、プーリ４４およびベルト４５を介してプーリ１６へ伝達され、プーリ１６と一体のローラ軸１５に支持された給紙ローラ１４が記録紙Ｐを繰出す方向へ回転される。
【００２９】
次に本発明の特徴である制動手段について説明する。この制動手段は、前記の回転駆動手段により記録紙繰出し方向へ回転される給紙ローラ１４の回転力を、給紙アーム１１における記録紙Ｐの最上層に接近する方向への回転力に変換し、最終的には給紙ローラ１４に対し記録紙Ｐの最上層に押付ける力として作用させるものである。
【００３０】
給紙ローラ１４に一体に形成されたローラ軸１５は、給紙ローラ１４の端面と給紙アーム１１の先端部側面との間に位置し、このローラ軸１５の外周部にはねじりコイルばね５１が嵌合されている。すなわち、ねじりコイルばね５１は給紙ローラ１４の端面と給紙アーム１１の先端部側面とに挟まれて軸方向に移動できないようになっている。このねじりコイルばね５１は、給紙ローラ１４と一体に記録紙繰出し方向へ回転するとともに、その回転方向とは逆向きの外力が加わった時に給紙ローラ１４に対し記録紙繰出し方向への回転を抑制する回転部材の一形態である。
すなわち、ねじりコイルばね５１の内径は給紙ローラ１４のローラ軸１５の外径（外周面の直径）より小さい。言い換えれば、ローラ軸１５の外径はねじりコイルばね５１の内径よりも大きく設定されている。ねじりコイルばね５１のねじり方向は、給紙ローラ１４の記録紙繰出し回転方向と同じ方向となっている。そして、ねじりコイルばね５１は給紙ローラ１４に一体に形成されたローラ軸１５に対してしまりばめの関係となり、ねじりコイルばね５１と給紙ローラ１４とが一体に記録紙繰出し方向へ回転する。なお、ねじりコイルばね５１の外周部には軸線方向に沿う係止部５１ａがばね素線を用いて一体に形成されている。
【００３１】
５２は制動アームで、この制動アーム５２は給紙アーム１１と平行に並んで（記録紙繰出し方向に沿って）配置され、その基端部（記録紙繰出し方向下流側端部）は支持軸１２に図示しない軸受を介して上下方向（給紙カセット１０１に積層収容された記録紙Ｐの最上層に対して接近離間する方向）に沿って揺動できるように支持されている。
制動アーム５２の先端部（記録紙繰出し方向上流側端部）に下向きの係止部５２ａが形成されており、この係止部５２ａは制動アーム５２が記録紙Ｐの最上層に接近する接近位置Ｂまで揺動した時に、給紙ローラ１４と並んで設けられたねじりコイルばね５１の係止部５１ａに対して給紙ローラ１４の記録紙繰出し回転方向下流側で係止してねじりコイルばね５１の回転を阻止するものである。
また、制動アーム５２の側面部には動作レバー２１の片部２１ａに向けて突出するピン５３が設けられている。このピン５３は、動作レバー２１の片部２１ａが下向きの位置にある時にその片部２１ａの先端部の上側に位置している。これにより片部２１ａが上方向へ変位する向きに動作レバー２１が揺動すると、片部２１ａの先端部によりピン５３が下側から引っ掛けられて持ち上げられる。このため、制動アーム５２は支持軸１２を中心として上側へ揺動されることになる。
【００３２】
なお、動作レバー２１の片部２１ａと、給紙アーム１１のピン１８および制動アーム５２のピン５３との揺動方向の位置関係は、動作レバー２１が上向き方向（記録紙離間方向）に揺動した時に、片部２１ａがまずピン５３を引き上げて制動アーム５２を支持軸１２を中心として上向きに揺動させ、その後片部２１ａがピン１８を引き上げて給紙アーム１１を支持軸１２を中心として上向きに揺動させるものとする。
【００３３】
このように構成された給紙装置における動作について説明する。
図３に示すように給紙装置が給紙カセット１０１に積層収容された記録紙Ｐを供給しない場合には、ソレノイド３１が通電されておらず、コイルばね２３が動作レバー２１を上向き方向（記録紙離間方向）に揺動させて待機位置Ａへ位置させている。これにより動作レバー２１の片部２１ａは上向きに移動して給紙アーム１１のピン１８および制動アーム５２のピン５３を引き上げる。これにより給紙アーム１１および制動アーム５２は支持軸１２を中心として上向きに揺動して待機位置Ａに位置する。このため、給紙アーム１１に設けた給紙ローラ１４も記録紙Ｐの最上層から離間して待機位置Ａにある。
【００３４】
図４に示すように給紙装置が給紙カセット１０１に積層収容された記録紙Ｐを供給する場合には、ソレノイド３１に通電し励磁してプランジャ３２をコイルばね２３のばね力に抗して吸引する。プランジャ３２の後退とともにピン３３を介して動作レバー２１が支持軸２２を中心として下向き方向（記録紙接近方向）ヘ揺動する。これにより動作レバー２１の片部２１ａが下向きに移動し、給紙アーム１１のピン１８および制動アーム５２のピン５３の支持が解除される。このため、給紙アーム１１は支持軸１２を中心として自重により下向き方向（記録紙接近方向）ヘ揺動して記録紙接近位置Ｂに達し、給紙アーム１１に設けた給紙ローラ１４が記録紙Ｐの最上層に接触して給紙アーム１１の揺動が停止する。
【００３５】
また、制動アーム５２は支持軸１２を中心として自重により下向き方向（記録紙接近方向）へ揺動し、先端部の係止部５２ａが給紙ローラ１４で支持したねじりコイルばね５１の外周部に当接して制動アーム５２の揺動が停止する。
ここで、前述したように回転駆動手段の動作により給紙ローラ１４が回転されているので、ねじりコイルばね５１も一体に同じ方向へ回転する。このため、ねじりコイルばね５１の係止部５１ａが制動アーム５２の係止部５２ａに対し記録紙繰出し方向に沿う上流側で係止する。この係止により、記録紙繰出し方向へのねじりコイルばね５１の回転が阻止される。
【００３６】
前述したように給紙ローラ１４と一体をなすローラ軸１５の外径は、ねじりコイルばね５１の内径よりも大きい。このため、ねじりコイルばね５１の記録紙繰出し方向への回転が停止すると、ローラ軸１５に対して記録紙繰出し方向への回転を阻害する向きへの摩擦抵抗が発生する。そうすると、ローラ軸１５と一体をなす給紙ローラ１４はローラ軸１５に対して作用する記録紙繰出し方向への回転を阻害する向きへの摩擦抵抗に抗して回転しようとする。これにより給紙ローラ１４に記録紙繰出し方向への回転力が発生する。
一方、給紙アーム１１は支持軸１２を中心として記録紙Ｐに接近する向きに揺動し、給紙ローラ１４が記録紙Ｐに接触して停止している。そこへ、給紙ローラ１４に記録紙繰出し方向、すなわち給紙アーム１１を記録紙接近方向へ揺動させようとする向きの回転力が発生する。このため、給紙ローラ１４に発生した回転力は、給紙アーム１１に対して支持軸１２を中心として記録紙Ｐへ接近させる向きへ揺動させる力として作用する。これにより給紙アーム１１は支持軸１２を中心として記録紙Ｐに接近する向きに揺動しようとする。
このような給紙アーム１１の動作によって給紙アーム１１に設けられた給紙ローラ１４が記録紙Ｐの最上層に押付けられる。従って、給紙ローラ１４は、給紙カセット１０１に積層された最上層の記録紙Ｐを下側に積層されている記録紙Ｐから分離してＣ方向へ繰出して搬送させるに必要な力で記録紙Ｐに押圧接触され、給紙ローラ１４と記録紙Ｐとの間に記録紙Ｐを搬送させるに必要な摩擦力が発生する。そして、給紙ローラ１４が記録紙繰出し方向へ回転することにより最上層の記録紙Ｐを下側に積層されている記録紙Ｐから分離してＣ方向へ繰出して搬送させる。なお、繰出された記録紙Ｐは補助給紙ローラ１９によってさらに搬送される。
【００３７】
この給紙ローラ１４を記録紙Ｐに押し付ける力の大きさは、ねじりコイルばね５１の回転を阻止することで給紙ローラ１４に発生した回転力の大きさによって決まり、この回転力が大きければ給紙ローラ１４を記録紙Ｐに押し付ける力も大きく、この回転力が小さければ給紙ローラ１４を記録紙Ｐに押し付ける力も小さくなる。
【００３８】
そして、このような給紙状態から図３に示す待機状態へ戻すためには、前述したようにソレノイド３１への通電を停止して、引張りコイルばね２３により動作レバー２１を上向き方向（記録紙離間方向）へ揺動させる。そうすると、まず動作レバー２１はピン５３を引き上げ、制動アーム５２を支持軸１２を中心として上向きに揺動させて記録紙Ｐから離間させる。制動アーム５２の係止部５２ａがねじりコイルばね５１の係止部５１ａから外れ、ねじりコイルばね５１が給紙ローラ１４と一緒に回転を始める。このため、ねじりコイルばね５１が回転を阻止されていた時に給紙ローラ１４に生じていた回転力が消失して、給紙アーム１１を記録紙Ｐへ向けて揺動させようとする力が無くなる。
このように給紙アーム１１を記録紙Ｐへ向けて揺動させようとする力が無くなると、給紙アーム１１を上向きへ揺動させて記録紙Ｐから離間させることが可能となる。次いで、動作レバー２１はピン１８を引き上げて給紙アーム１１を支持軸１２を中心として上向きに揺動させて記録紙Ｐから離間させる。
【００３９】
なお、ねじりコイルばね５１の回転を停止している状態で給紙アーム１１を離間方向へ揺動させるためには、引張りコイルばね２３に給紙アーム１１を接近方向へ揺動させようとする力に打ち勝つばね力を持たせることが必要となる。また、ソレノイド３１はこの引張りコイルばね２３のばね力に打ち勝つ吸引力が必要となる。
【００４０】
このようにねじりコイルばね５１と制動アーム５２との組合せからなる制動手段により、回転駆動手段により記録紙繰出し方向へ回転される給紙ローラ１４の回転力を、給紙アーム１１における記録紙接近方向への回転力に変換して給紙ローラ１４に対して記録紙Ｐに押付ける力として作用させるので、従来のように給紙ローラ３に直接重り８を取付けて給紙ローラ３を記録紙に押し付ける力を得る構成を採用しなくとも、給紙ローラ１４を記録紙Ｐに押し付けて記録紙Ｐを安定して搬送することができる。
このため、給紙ローラ１４を支持する給紙アーム１１を記録紙Ｐから離間させる方向へ揺動させる引張りコイルばね（離間手段）２３は、給紙アーム１１の重量に重り８の重量を加えて揺動させる大きなばね力を有する大型で高価な仕様のものを採用する必要がない。
また、給紙アーム１１を前記の離間手段である引張りコイルばね２３による保持を解除して待機位置Ａから接近位置Ｂへ揺動させるための解除手段であるソレノイド３１は、前記の強力なばねのばね力より大きな吸引力を発生させる強力で高価な仕様のものを採用する必要がない。
【００４１】
また、制動手段は、給紙ローラ１４と一体に記録紙繰出し方向へ回転するとともに、その回転方向とは逆向きの外力が加わった時に給紙ローラ１４に対し記録紙繰出し方向への回転を抑制する回転部材、例えばねじりコイルばね５１と、給紙アーム１１の支持軸１２を中心として給紙カセット１０１に積層された記録紙Ｐに対して接近、離間する方向に沿って揺動可能に設けられ、給紙アーム１１が記録紙接近方向へ揺動して給紙ローラ１４がねじりコイルばね５１に係止してその記録紙繰出し方向への回転を阻止する制動アーム５２とで構成している。
従って、制動手段は、給紙アーム１１、給紙ローラ１４、離間手段および解除手段を組合せてなる給紙装置の基本的な構成を生かして簡素で軽量でありながら記録紙Ｐを安定して搬送することができる。
【００４２】
さらに、制動アーム５２は、離間手段により記録紙Ｐから離間した位置へ揺動されて保持され、且つ解除手段により待機位置Ａの保持を解除して給紙アーム１１を自重により記録紙接近方向へ揺動させるものであるために、給紙アーム１１を動作させる手段を利用した簡素な構成で給紙アーム１１の動作に連動して動作させて、安定した記録紙搬送を行なうことができる。
【００４３】
さらに、回転部材としてねじりコイルばね５１を使用し、このねじりコイルばね５１は給紙ローラ１４と一体であるローラ軸１５の外径より小さい内径を有して嵌合保持され、且つこのねじりコイルばね５１に記録紙接近方向ヘ移動してきた制動アーム５２が係止する係止部５２ａを有しているので、制動手段における回転部材を簡素な構成で、給紙ローラ１４に対して制動をかけて安定した記録紙搬送を行なうことができる。
【００４４】
なお、本発明は前述した実施の形態に限定されず、種々変形して実施することができる。本発明は記録紙を供給するものに限定されず、原稿を供給するものにも適用できる。
【００４５】
【発明の効果】
本発明の給紙装置によれば、給紙ローラに重りを取付けることなく記録紙を安定して搬送することができ、離間手段および解除手段に強力で高価な仕様のものを用いる必要がない。従って、記録紙の安定した搬送特性を確保しつつ経済性を高めることができる。
さらに、制動手段は給紙装置の基本的な構成を生かして簡素で軽量でありながら記録紙を安定して搬送することができる。
【図面の簡単な説明】
【図１】本発明の一実施の形態における給紙装置を示す斜視図。
【図２】同実施の形態の給紙装置に設ける給紙アーム、給紙ローラおよび回転部材を示す分解斜視図。
【図３】同実施の形態における給紙装置の概略的構成を示す断面図。
【図４】同実施の形態における給紙装置の概略的構成を示す断面図。
【図５】従来の形態における給紙装置を示す斜視図。
【図６】同従来の形態の給紙装置に設ける給紙アーム、給紙ローラおよび回転部材を示す分解斜視図。
【符号の説明】
１１…給紙アーム、
１２…支持軸、
１４…給紙ローラ、
１５…ローラ軸、
１９…補助給紙ローラ、
２１…動作レバー、
２２…支持軸、
２３…引張りコイルばね、
３１…ソレノイド、
３２…プランジャ、
４３…ベルト、
４５…ベルト、
５１…ねじりコイルばね
５２…制動アーム。
【図１】
0004237346.tif 000002
【図２】
0004237346.tif 000003
【図３】
0004237346.tif 000004
【図４】
0004237346.tif 000005
【図５】
0004237346.tif 000006
【図６】
0004237346.tif 000007